(57)【要約】      （修正有）【課題】メーキャップの分野において今までにない視覚効果から恩恵をうけようとする要求を満たそうとすることにある。【解決手段】本発明は、角質物質特に皮膚或いは爪に固着する製品（１）に関するのであって、該製品（１）は、少なくとも１つの模様において方向付けされる磁気粒子を含んでいる。また、接着面（６）を有し、磁気粒子を含んでいる膜（２）が少なくとも１つの溶媒を含んでいる１つの膜形成物質を乾燥させることによって得られる。【選択図】図１
2006271964.tif 000002
【特許請求の範囲】
【請求項１】
少なくとも１つの模様（Ｍ）で方向付けされる磁気粒子を含む、角質物質特に皮膚或いは爪に固着する製品。
【請求項２】
接着面（６）を有することを特徴とする請求項１に記載の製品。
【請求項３】
該磁気粒子を含んでいる膜（２）を有することを特徴とする請求項１又は２に記載の製品。
【請求項４】
該膜（２）が少なくとも１つの溶媒を含んでいる１つの膜形成物質を乾燥させることによって得られることを特徴とする請求項３に記載の製品。
【請求項５】
磁気粒子が鉄、ニッケル、コバルト、それらの合金又は酸化物、特にＦｅ３Ｏ４から成る属から選ばれた磁性物質から成ることを特徴とする請求項１から４のいづれか一項に記載の製品。
【請求項６】
該磁気粒子が非球面であることを特徴とする請求項１から５のいづれか一項に記載の製品。
【請求項７】
角質物質特に皮膚或いは爪に固着する製品の製造方法であって、
・該製品が適用されることになる表面から離れて磁場の影響下において移動可能な磁気粒子を含んでいる材料の少なくとも１つの層（２）を形成し、
・該層（２）を乾燥又は冷却する前に、模様を形成するために該磁気粒子の少なくとも一部を方向決め及び／又は移動させるように該磁気粒子を磁場に晒すことを特徴とする製品の製造方法。
【請求項８】
該材料は膜形成物質であることを特徴とする請求項７に記載の製造方法。
【請求項９】
請求項１から６のいづれか一項に記載の少なくとも１つの製品及び該製品の包装体から成るキット。
【請求項１０】
請求項１から６のいづれか一項に記載の製品が角質物質特に皮膚或いは爪に固着される化粧方法。
【発明の詳細な説明】
【技術分野】
【０００１】
本発明は、皮膚、爪、毛髪又はつけ爪に固着する製品、及びそのような製品を製造する方法に関する。
【背景技術】
【０００２】
メーキャップの分野において今までにない視覚効果から恩恵をうけようとする必要性が存在し、本発明は特にかかる必要性を満たそうとするものである。
【発明の開示】
【０００３】
製品
本発明の一つの特徴において、本発明は皮膚、爪、毛髪又はつけ爪に固着する製品を提供し、該製品は少なくとも１つの模様において方向付けされる磁気粒子を含んでいる。
【０００４】
例として、本製品は自然の爪の全部又は一部を覆うパッチ即ちつけ爪であり、或いは角質物質に固着するための他の装飾用装置である。
【０００５】
磁気粒子は、本製品の全体或いは一部に広がっている。
【０００６】
本製品の外観は、磁気粒子の方向決め及び配置、或いはその何れか一方に依存している。本発明は、本製品によって、特に皮膚、爪、毛髪又はつけ爪において、今までにないメーキャップ効果を作り出すことができ、該製品は、例えば幾何学的な或いは、さもなければ浮彫模様或いは浮彫模様のような印象を与える１つ又はそれ以上の模様を有する。
【０００７】
本製品は、装飾的に用いたり、及び／又は例えば皮膚や爪の不具合をすっかり隠すために用いられ得る。
【０００８】
磁気粒子は、特に使用時において、本製品内にセットされる方向付けを示し、一度粒子がセットされ、磁場に晒されると、視覚的に知覚できる方法で、それらの方向付けを変更する効果はもはや持ち得ない。  
【０００９】
本製品は少なくとも第一の層を備え、該第一の層は磁気粒子を含んでいる物質、例えば少なくとも１つの溶媒を含んでいる１つの膜形成物質を乾燥させることによって得られるポリマー膜を備えることができる。
【００１０】
皮膚、爪、毛髪又はつけ爪に製品を固着するために、本製品は、使用前には取り外し可能な保護膜によって覆われている接着面を有し得る。  
【００１１】
本発明の実施形態では、該接着面は少なくとも第二の層によって画定され、該第二の層は少なくとも１つの接着物質を備えている。例として、該接着物質は、本製品を位置決めし直すことができるように選択され得る。
【００１２】
また本製品は、例えば第一の層の接着性によって特別の接着剤を使うことなく、接着能力をもつ。
【００１３】
本発明の別の実施形態では、本製品はユーザーに接着面なしに提供され、本製品が使用される前に、皮膚、本製品、毛髪、爪或いはつけ爪に付着されるような使用において、適合性のあるグルー又は接着膜のような接着剤によって、皮膚に固着され得る。
【００１４】
本製品は、自然の爪或いはつけ爪の全体又は一部を覆うことができる。本製品は第一の層を保護するよう配列される保護膜を含むことができる。
【００１５】
保護膜は接着剤であってもよく、また第一の層が保護膜の接着面全体を覆わない場合においては、保護膜は爪の上のある場所に本製品を留めることができる。
【００１６】
特に、第一の層によって作られた模様は、保護膜の接着面によって完全に包囲されて、該保護膜が模様全体を囲んで爪に接着できるようにしてもよい。
【００１７】
本製品は、可撓性又は実質的な堅固性を備えてもよい。本製品は、伸張できる充分な可撓性を有し、例えば爪の表面に適合できるようにしてもよい。
【００１８】
本発明の実施形態では、本製品は有機溶媒に感応し、それにより、取り除く必要があるつけ爪とは対照的に、マニキュアのニス除去剤によって取り外すことができる。このように本製品は溶媒特に有機溶媒によって取り外され得る。
【００１９】
本製品は、有利には、相当な期間、特に少なくとも数日の間、実際は少なくとも１週間、継続使用できる。
【００２０】
米国特許第５４１５９０３号、同第５５２５３８９号、同第４９０３８４０号（これらの内容は本明細書に参考文献として結合される）には、接着性製品の製造方法の幾つかの例が記載されており、これらの方法は本発明に従って製品を製造するために用いることのできる幾つかの工程を有する。
【００２１】
多層構造体の場合には、様々な複数の層は、同一或いは異なる複数の組成及び厚さ或いはそれらのいずれか一方を備えることができる。
【００２２】
磁気粒子
本発明の製品の磁気粒子は、鉄、ニッケル、コバルト、それらの合金又は酸化物、特にＦｅ３Ｏ４から成る属から選ばれた磁性物質で構成され得る。磁場が無い状態においては、使用される磁気粒子は好ましくは如何なる残留磁気ももたない。
【００２３】
磁気粒子は、磁場が永久磁石によって作られるのか又は磁気誘導の結果なのかにかかわらず、磁場の線に感度を示す任意の磁性物質で構成され得、かかる磁性物質はニッケル、コバルト、鉄、それらの合金又は酸化物、特にＦｅ３Ｏ４から選ばれ、かつ又例えば、ガドリニウム、テルビウム、ジスプロシウム、エルビウム、それらの合金又は酸化物から選ばれる。この磁性物質は“軟”磁性タイプか又は“硬”磁性タイプのものであってもよい。
【００２４】
磁気粒子は、例えば、鉄、ニッケル、コバルト、それらの合金又は酸化物、特にＦｅ３Ｏ４のような磁性物質の少なくとも１つの層を含む多層構造体を随意に提供することができる。
【００２５】
本発明の実施形態では、磁気粒子異方性特性をもつ。磁気粒子は好ましくは非球面であって、例えば細長い形状をもつ。このように粒子が磁場に晒される場合、特に本製品の製造中において、それら磁気粒子は、磁力線と整列してそれらの長手方向軸線に沿いやすくなる傾向があり、また、それら磁気粒子は方向付けにおける変更を受け、その結果磁気異方性により及び模様を作ることによる外観が変化することになる。
【００２６】
磁気粒子が実質的に球形である場合には、その外観は好ましくは一様でなく、そのため方向付けの変更は外観の変更をもたらす。本製品における磁気粒子の量は、本製品の外観がそれら磁気粒子の方向付け及び位置決め、或いはそれらの何れか一方に依存できるようにするのに充分である。
【００２７】
例として、磁気粒子のサイズは、１ナノメーター（ｎｍ）から７００マイクロメーター（μｍ）の範囲であることができ、より好ましくは１ｎｍから５００μｍの範囲であり、さらに好ましくは１０ｎｍから約１５０μｍの範囲である。用語 “サイズ”は、個体群の半分での統計的な粒径分布で与えられる寸法を意味し、“Ｄ５０”と称される。
【００２８】
本製品の磁気粒子は、磁性顔料から成り得る。特に適した顔料はＦｅ３Ｏ４のような酸化鉄から成る真珠層である。例として、磁気特性を持つ顔料は、ＭＥＲＣＫ社によるコロローナブラックスターブルー、コロローナブラックスターグリーン、コロローナブラックスターゴールド、コロローナブラックスターレッド、マイクロナマットブラック（１７４３７）、マイカブラック（１７２６０）、コロローナパティーナシルバー（１７２８９）、コロローナパティーナゴールド（１７２８８）、或いはＥＮＧＥＬＨＡＲＤ社によるゲムトーンムーンストーン（Ｇ００４）又はクローマライトブラック（４４９８）の商標名で販売されているものである。
【００２９】
その他の構成要素
磁気粒子に加え、本製品は少なくとも１つの着色料を含むことができる。本製品は香料のような少なくとも１つの添加物を含むことができる。
【００３０】
本製品は、少なくとも１つの可塑剤を含むことができる。可塑剤は、クエン酸エステル類或いはアジピン酸ジオクテルのような移行性の極めて僅かなものから選ばれ得る。
【００３１】
磁気粒子を含んでいる層の配合は、従来のマニュキュア液の配合と良く似ており、例えばフタル酸エステル類のような他の可塑剤を含むことができる。
【００３２】
接着剤
上述の通り、本発明の製品は接着面を有することができる。そのような接着面は、特に皮膚や爪に生理的に受け入れ可能な接着物質から選ばれた、少なくとも１つの接着物質を有する少なくとも１つの層の存在によって得られ得る。接着物質は多層か又は単層のどちらでもよい。
【００３３】
接着物質は、ポリマー、或いは１つ以上の異なった種類のポリマーからなり得る重合体系システムから成ることができる。接着物質はポリマー溶液、或いは溶媒にポリマー粒子を分散させた形態であり得る。接着物質は、必要に応じて更に可塑剤を含むことができる。
【００３４】
接着物質は、ポリウレタン、アクリルポリマー類、シリコーン、酪酸ガム質類、特にポリイソブチレン類、エチレン、酢酸ビニル共重合体、任意に脂肪質チェーン、天然ゴム類、そしてこれらの混合物により改質されるポリアミド類から選ばれた接着性ポリマーであり得る。
【００３５】
接着物質は、１μｍから１００μｍの範囲、特に１μｍから５０μｍの範囲、また好ましくは１μｍから２５μｍの範囲の厚さを有する層のであり得る。
【００３６】
本発明の特異な実施形態では、接着物質によって作られた層は、磁気粒子を含んでいる物質と直に接触する。
【００３７】
有利には、接着物質及び磁気粒子を含んでいる物質は、それらの化学的な性質の結果として互換性を有する。
【００３８】
必要に応じて、接着物質は、他の複数の層が完全に不透明でない場合、視覚的効果に貢献するために、磁気粒子を含んでいてもよい。
【００３９】
製造方法
本発明の別の特徴において、本発明はまた、皮膚、爪、毛髪又はつけ爪に固着する製品の製造方法を提供し、この製造方法は、
・該製品が適用されることになる表面から離れて磁場の影響下において移動可能な磁気粒子を含んでいる材料の少なくとも１つの層を形成し、
・該層を乾燥又は冷却する前に、模様を形成するために該磁気粒子の少なくとも一部を方向決め及び／又は移動させるように該磁気粒子を磁場に晒すことから成る。
【００４０】
磁気粒子を含んでいる材料は、任意の膜形成物質であってもよい。
【００４１】
本製品の製造中に、磁場は少なくとも１つの永久磁石か或いは少なくとも１つの電磁石によって発生され得る。
【００４２】
磁場は少なくとも、１つ以上の模様を形成するために、磁気粒子が含まれている材料において移動可能である時に、加えられ得る。こうするために、磁気粒子を含んでいる材料の層は有利には、磁場が加えられる時、少なくとも部分的に流体であり、そして、それは本製品製造の間、使用前に行われる。
【００４３】
キット
本発明の別の特徴において、本発明はまた、上述のような少なくとも１つの製品及び該製品の包装体を備えるキットを提供する。
【００４４】
メーキャップ（化粧）方法
本発明の別の特徴において、本発明はまた、上述の通り、皮膚、爪、毛髪又はつけ爪に製品を固着するメーキャップ方法を提供する。
【発明を実施するための最良の形態】
【００４５】
本発明は限定されない実施形態についての以下の詳細な説明を読むこと及び添付図面を検討することにより良く理解され得る。  
【００４６】
図１及び図２は製品１を示し、本製品１は、磁気粒子を含んでいる膜２と、接着物質の１つの層３とを備え、この接着物質の１つの層３の底面は本製品１の接着面６を構成している。使用前には、取り外し可能な保護膜５で接着面６を保護している。
【００４７】
図示実施形態では透明である保護膜９は、膜２を保護するように該膜２を覆っている。
【００４８】
図示実施形態では、本製品１は可撓性であり、自然の或いは人工の爪に固着するようにされている。
【００４９】
米国特許第５４１５９０３号（その内容は参照文献として本明細書に結合される）には、製品を製造するのに用いることのできる方法が記載されている。
【００５０】
少なくとも１つの可塑剤及び１つの膜形成ポリマーを含んでいるニスは、磁性顔料と他の着色料或いは充填剤と共に有機溶媒で溶かされ、そして保護膜９に塗布される。ニスは、溶媒を回収（ｒｅｃｕｐｅｒａｔｉｎｇ）することにより乾燥され、そして膜２と共にコーティングされる保護膜９は、ニスの側において接着膜３及び取り外し可能な膜５と共に積層される。
【００５１】
磁気粒子は、溶媒が完全に蒸発する前に、方向付けされ得る。図実施形態では、磁気粒子は、可視模様Ｍを形成するために、磁場の影響下において方向付けされ、この場合可視模様Ｍは球形である。
【００５２】
使用中は、保護膜５は取り外され、図３に示すように、本製品１は人工の或いは自然の爪に付けられる。
【００５３】
一度爪に固着したら、本製品１は、該爪の外形輪郭に従うように切られ、又は爪やすりをかけられ得る。
【００５４】
保護膜５は、図４に示すように、多数の製品１に共通に用いてもよい。共通の保護膜５の上に集合化される製品の数は変えることができ、例えば図示実施形態では５個にできる。図示されていない変形例では、色々な指爪の形状にマッチするように、本製品は異なったサイズや形、或いはその何れか一方をもつこともできる。
【００５５】
本製品１は、本発明の範囲を超えることなく、異なる構造をもつことができる。
【００５６】
図５に示す変形例では、製品１はいかなる接着物質も備えていない。この場合、例として、膜２を備える製品は、使用時において、本製品上及び本製品によって覆われる支持体上、或いはそれらの何れか一方の上に、ユーザーによって施されるグルーの層によって固着される。
【００５７】
このように本製品１は、図５に示すように、取り外し可能な保護膜５或いは保護膜９でさえも、必要が無い。
【００５８】
例として、本製品１は、また磁性顔料を含んでいる熱可塑性物質を成形することによって作ることもでき、そして該磁性顔料は、該熱可塑性物質がまだ流体である時に、該熱可塑性物質を冷却する前に方向付けされ得る。
【００５９】
図６は、密封されたパッケージ１０内に置かれた製品１を備えるキットを示す。
【００６０】
このようなパッケージは、保管中、製品の品質を落とさないようにするのに有用であり得る。
【００６１】
膜２が接着特性をもつ場合には、必要に応じて、図２の実施形態における接着物質層３は取り除くことができる（この変更は図示されてない）。
【００６２】
図７は、本発明の製品１の別の実施形態を示し、該製品は好ましくは皮膚に固着するための可撓性パッチを構成している。
【００６３】
図８における製品１は、実質的には接着物質を持たない固いつけ爪を構成し、自然の爪の上にグルーで接着される。
【００６４】
図９に示す実施形態においては、磁気粒子を含んでいる膜２は保護膜９で覆われ、この保護膜９は接着層３によって１つの表面上を覆っている。
【００６５】
保護膜９は、膜２を皮膚、爪、毛髪又はつけ爪に固着するようにして膜２の周囲にのびている。
【００６６】
使用前、接着層３は、接着しない取り外し可能な保護膜５によって保護され得る。
【００６７】
生来、本発明は上記で説明してきた実施形態に限定されない。
【００６８】
例えば、本製品は複数の随意に異なった模様を含むことができる。
【００６９】
“備える又はから成る”という表現は、そうでないと指定されない限り“少なくとも１つを備える又は少なくとも１つから成る”と同意語として理解されるべきである。
【図面の簡単な説明】
【００７０】
【図１】本発明の製品の一例を示す概略線図。
【図２】図１の製品の軸方向概略断面図。
【図３】本製品の使用状態を示す概略線図。
【図４】本発明の複数の製品を示す概略線図。
【図５】本発明の製品の別の実施形態の軸方向概略断面図。
【図６】包装された本発明の製品の一例を示す概略線図。
【図７】本発明の製品の別の実施形態を示す概略線図。
【図８】本発明の製品の別の実施形態を示す概略線図。
【図９】変形実施形態の図２と同様な図。
【符号の説明】
【００７１】
１  製品
２  膜
３  接着層
５  取外し可能な保護膜
６  接着面
９  保護膜
１０  パッケージ
Ｍ    模様
【図１】
2006271964.tif 000003
【図２】
2006271964.tif 000004
【図３】
2006271964.tif 000005
【図４】
2006271964.tif 000006
【図５】
2006271964.tif 000007
【図６】
2006271964.tif 000008
【図７】
2006271964.tif 000009
【図８】
2006271964.tif 000010
【図９】
2006271964.tif 000011
【外国語明細書】
2006271964.tif 000012
2006271964.tif 000013
2006271964.tif 000014
2006271964.tif 000015
2006271964.tif 000016
2006271964.tif 000017
2006271964.tif 000018
2006271964.tif 000019
2006271964.tif 000020
2006271964.tif 000021
2006271964.tif 000022
2006271964.tif 000023
2006271964.tif 000024
2006271964.tif 000025